Podtech/llm-jp-corpus-v4-ja_patent huggingface dataset:
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
細菌を用いた水の浄化装置であって、
水を浄化する低透水性の生物的濾過層と、
当該生物的濾過層に水流を生成するポンプ手段と、
を備え、
上記生物的濾過層においては、浄化を行うための好気性細菌および嫌気性細菌が共に生育する有用浄化細菌群であり、当該有用浄化細菌群がバルク状態に固定された状態にある
ことを特徴とする浄化装置。
【請求項２】
上記生物的濾過層において、硝化プロセスと脱窒プロセスが行われる
ことを特徴とする請求項１に記載の浄化装置。
【請求項３】
上記生物的濾過層は、基盤部と、その上に設けられた上記有用浄化細菌群とからなり、
上記ポンプ手段により生じる水流が上記有用浄化細菌群から基盤部へと向かう流れである
ことを特徴とする請求項１または２に記載の浄化装置。
【請求項４】
外部と水の交換を行う交換空間と、
当該交換空間に連結する上記生物的濾過層と、
当該生物的濾過層に連結する濾過水貯水空間と、
当該濾過水貯水空間に貯水された濾過水を上記交換空間に汲み上げる上記ポンプ手段と、
を備えた
ことを特徴とする請求項１から３のいずれかに記載の浄化装置。
【請求項５】
外部の空気を上記交換空間に供給するエアレーション手段をさらに有する
ことを特徴とする請求項１から４のいずれかに記載の浄化装置。
【請求項６】
上記生物的濾過層は、上記ポンプ手段によって当該生物的濾過層内に生じる水流速度の当該生物的濾過層面内分布を不均一にする機構を有する
ことを特徴とする請求項１から５のいずれかに記載の浄化装置。
【請求項７】
上記有用浄化細菌群の透水速度を減少させるために微粒子を混在させる
ことを特徴とする請求項１から６のいずれかに記載の浄化装置。
【請求項８】
上記濾過水貯水領域に光源を設け、光合成細菌を生育させる
ことを特徴とする請求項１から７のいずれかに記載の浄化装置。
【請求項９】
上記エアレーション手段は、上記ポンプ手段と一体である
ことを特徴とする請求項５に記載の浄化装置。
【請求項１０】
上記ポンプ手段はマイクロバブルを発生する機能を有する
ことを特徴とする請求項９に記載の浄化装置。
【請求項１１】
上記濾過水貯水空間は、汲み上げ効率が平面内においてにおいて一様とするための循環路機構を有する
ことを特徴とする請求項１から１０のいずれかに記載の浄化装置。
【請求項１２】
請求項１から１１のいずれかに記載の浄化装置を水槽と一体として備えたアクアリウムであって、
上記交換空間は水槽の上部に設けられた水棲生物の飼育領域である
ことを特徴とするアクアリウム。
【請求項１３】
水流を有する水系を浄化するための細菌を用いた水の浄化装置であって、
水路ブロックと、
当該水路ブロックの上部に設けられた水を浄化する低透水性の生物的濾過層と、
を備え、
上記水路ブロックは貫通する水路を有し、
当該水路の流入口の開口は水路断面よりも広い面積を有しており、
上記水路の内壁上部は生物的濾過層との間で透水性を有し、
上記生物的濾過層においては、浄化を行うための好気性細菌および嫌気性細菌が共に生育する有用浄化細菌群であり、当該有用浄化細菌群がバルク状態に固定された状態にある
ことを特徴とする浄化装置。
【請求項１４】
上記生物的濾過層において、硝化プロセスと脱窒プロセスが行われる
ことを特徴とする請求項１３に記載の浄化装置。
【請求項１５】
上記生物的濾過層は砂層を含むものである
ことを特徴とする請求項１３または１４に記載の浄化装置。
【手続補正２】
【補正対象書類名】明細書
【補正対象項目名】００１１
【補正方法】変更
【補正の内容】
【００１１】
本発明に係る浄化装置は、細菌を用いた水の浄化装置であって、水を浄化する低透水性の生物的濾過層と、当該生物的濾過層に水流を生成するポンプ手段とを備え、上記生物的濾過層においては、浄化を行うための好気性細菌および嫌気性細菌が共に生育する有用浄化細菌群を有し、当該有用浄化細菌群がバルク状態に固定された状態にあることを特徴とする。
【手続補正３】
【補正対象書類名】明細書
【補正対象項目名】００１３
【補正方法】変更
【補正の内容】
【００１３】
また、本発明に浄化装置は、水流を有する水系を浄化するための細菌を用いた水の浄化装置であって、水路ブロックと、当該水路ブロックの上部に設けられた水を浄化する低透水性の生物的濾過層とを備え、上記水路ブロックは貫通する水路を有し、当該水路の流入口の開口は水路断面よりも広い面積を有しており、上記水路の内壁上部は生物的濾過層との間で透水性を有し、上記生物的濾過層においては、浄化を行うための好気性細菌および嫌気性細菌が共に生育する有用浄化細菌群であり、当該有用浄化細菌群がバルク状態に固定された状態にあることを特徴とする。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
複数の当選役に関しての抽選が実行されると図柄が付された可動体を回転させ、当該抽選の結果に基づいて決定された当選役に関する図柄組合せを表示する遊技機であって、
前記複数の当選役のうち何れの当選役を決定する当選役決定手段と、
前記図柄組合せに基づいて特典を付与し得る特典付与手段と、
前記特典とは異なる特典に対しての抽選を実行し得る特典抽選手段と、を備え、
前記当選役決定手段で決定された当選役に基づいて、該当選役が決定されている中で前記特典抽選手段による抽選を複数の抽選にて実行し得る抽選機会増大手段と、
前記特典抽選手段による抽選を複数の抽選にて実行するとき、前記当選役決定手段によって決定するために抽出した乱数値は不変とし、さらには所定の操作を契機とすることなく該複数の抽選に関する処理が一連の流れとして実行されるものであり、
前記一連の流れとして実行される前記複数の抽選に関する処理は、前記当選役決定手段によって前記当選役が決定されたあとであって、前記可動体を回転させる前の待機区間において行われ得る無期待区間抑制手段と、をさらに備え、
前記複数の抽選が実行されたあとに該抽選の結果を所定の表示装置に表示することを特徴とする遊技機。
【手続補正２】
【補正対象書類名】明細書
【補正対象項目名】０００４
【補正方法】変更
【補正の内容】
【０００４】
しかしながら、上述した遊技機では、ゲーム毎に特典を付与するための抽選機会が与えられているものの、それだけでは満足できない遊技者が少なからず存在することで、興趣が低下してしまう原因となっていた。
【手続補正３】
【補正対象書類名】明細書
【補正対象項目名】０００６
【補正方法】変更
【補正の内容】
【０００６】
上記課題を解決するために本発明の遊技機は、複数の当選役に関しての抽選が実行されると図柄が付された可動体を回転させ、当該抽選の結果に基づいて決定された当選役に関する図柄組合せを表示する遊技機であって、前記複数の当選役のうち何れの当選役を決定する当選役決定手段と、前記図柄組合せに基づいて特典を付与し得る特典付与手段と、前記特典とは異なる特典に対しての抽選を実行し得る特典抽選手段と、を備え、前記当選役決定手段で決定された当選役に基づいて、該当選役が決定されている中で前記特典抽選手段による抽選を複数の抽選にて実行し得る抽選機会増大手段と、前記特典抽選手段による抽選を複数の抽選にて実行するとき、前記当選役決定手段によって決定するために抽出した乱数値は不変とし、さらには所定の操作を契機とすることなく該複数の抽選に関する処理が一連の流れとして実行されるものであり、前記一連の流れとして実行される前記複数の抽選に関する処理は、前記当選役決定手段によって前記当選役が決定されたあとであって、前記可動体を回転させる前の待機区間において行われ得る無期待区間抑制手段と、をさらに備え、前記複数の抽選が実行されたあとに該抽選の結果を所定の表示装置に表示することを特徴とする遊技機。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
複数の当選役に関しての抽選が実行されると図柄が付された可動体を回転させ、当該抽選の結果に基づいて決定された当選役に関する図柄組合せを表示する遊技機であって、
前記複数の当選役のうち何れの当選役を決定する当選役決定手段と、
前記図柄組合せに基づいて特典を付与し得る特典付与手段と、
前記特典とは異なる特典に対しての抽選を実行し得る特典抽選手段と、を備え、
前記当選役決定手段で決定された当選役に基づいて、該当選役が決定されている中で前記特典抽選手段による抽選を複数の抽選にて実行し得る抽選機会増大手段と、
前記特典抽選手段による抽選を複数の抽選にて実行するとき、前記当選役決定手段によって決定するために抽出した乱数値は不変とし、さらには所定の操作を契機とすることなく該複数の抽選に関する処理が一連の流れとして実行されるものであり、
前記一連の流れとして実行される前記複数の抽選に関する処理は、前記当選役決定手段によって前記当選役が決定されたあとであって、前記可動体を回転させる前の待機区間において行われ得る無期待区間抑制手段と、をさらに備え、
前記複数の当選役には、
前記当選役決定手段によって比較的高頻度で決定される高頻度当選役、および該高頻度当選役よりも決定されにくい低頻度当選役とが少なくとも含まれており、
前記異なる特典が付与される期待度合いは、前記当選役決定手段によって前記低頻度当選役が決定されたときの方が前記当選役決定手段によって前記高頻度当選役が決定されたときよりも高いとされていることを特徴とする遊技機。
【手続補正２】
【補正対象書類名】明細書
【補正対象項目名】０００５
【補正方法】変更
【補正の内容】
【０００５】
上述した遊技機のように図柄表示ゲームが繰り返し行われる中での工夫が施されているものの、さらなる工夫が施された遊技機を所望する遊技者も少なからず存在している。
【手続補正３】
【補正対象書類名】明細書
【補正対象項目名】０００６
【補正方法】変更
【補正の内容】
【０００６】
そこで、本発明の課題は、さらなる工夫が施された遊技機を提供することを課題とする。
【手続補正４】
【補正対象書類名】明細書
【補正対象項目名】０００７
【補正方法】変更
【補正の内容】
【０００７】
上記課題を解決するために本発明の遊技機は、複数の当選役に関しての抽選が実行されると図柄が付された可動体を回転させ、当該抽選の結果に基づいて決定された当選役に関する図柄組合せを表示する遊技機であって、前記複数の当選役のうち何れの当選役を決定する当選役決定手段と、前記図柄組合せに基づいて特典を付与し得る特典付与手段と、前記特典とは異なる特典に対しての抽選を実行し得る特典抽選手段と、を備え、前記当選役決定手段で決定された当選役に基づいて、該当選役が決定されている中で前記特典抽選手段による抽選を複数の抽選にて実行し得る抽選機会増大手段と、前記特典抽選手段による抽選を複数の抽選にて実行するとき、前記当選役決定手段によって決定するために抽出した乱数値は不変とし、さらには所定の操作を契機とすることなく該複数の抽選に関する処理が一連の流れとして実行されるものであり、前記一連の流れとして実行される前記複数の抽選に関する処理は、前記当選役決定手段によって前記当選役が決定されたあとであって、前記可動体を回転させる前の待機区間において行われ得る無期待区間抑制手段と、をさらに備え、前記複数の当選役には、前記当選役決定手段によって比較的高頻度で決定される高頻度当選役、および該高頻度当選役よりも決定されにくい低頻度当選役とが少なくとも含まれており、前記異なる特典が付与される期待度合いは、前記当選役決定手段によって前記低頻度当選役が決定されたときの方が前記当選役決定手段によって前記高頻度当選役が決定されたときよりも高いとされていることを特徴とする遊技機。
【手続補正５】
【補正対象書類名】明細書
【補正対象項目名】０００８
【補正方法】変更
【補正の内容】
【０００８】
本発明の遊技機によれば、さらなる工夫が施された遊技機を提供することができる。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
複数の当選役に関しての抽選が実行されると図柄が付された可動体を回転させ、当該抽選の結果に基づいて決定された当選役に関する図柄組合せを表示する遊技機であって、
前記複数の当選役のうち何れの当選役を決定する当選役決定手段と、
前記可動体の回転を停止させるための停止操作手段と、
前記図柄組合せに基づいて特典を付与し得る特典付与手段と、
前記特典とは異なる特典に対しての抽選を実行し得る特典抽選手段と、を備え、
前記当選役決定手段で決定された当選役に基づいて、該当選役が決定されている中で前記特典抽選手段による抽選を複数の抽選にて実行し得る抽選機会増大手段と、
前記特典抽選手段による抽選を複数の抽選にて実行するとき、前記当選役決定手段によって決定するために抽出した乱数値は不変とし、さらには所定の操作を契機とすることなく該複数の抽選に関する処理が一連の流れとして実行されるものであり、
前記一連の流れとして実行される前記複数の抽選に関する処理は、前記当選役決定手段によって前記当選役が決定されたあとであって、前記可動体を回転させる前の待機区間において行われ得る無期待区間抑制手段と、をさらに備え、
前記複数の当選役には、改めて遊技媒体を投入することなくゲームを実行できる再遊技役が含まれており、
通常遊技状態、および該通常遊技状態よりも前記再遊技役が前記当選役決定手段によって決定されやすい状態であり且つ前記当選役決定手段によって特別な当選役が決定された場合に前記停止操作手段に対しての操作態様を指示する再高指有遊技状態が少なくとも含まれた遊技状態があり、
前記異なる特典は、
前記通常遊技状態から前記再高指有遊技状態へと移行させ得る特典、または前記再高指有遊技状態を延長させ得る特典であることを特徴とする遊技機。
【手続補正２】
【補正対象書類名】明細書
【補正対象項目名】０００４
【補正方法】変更
【補正の内容】
【０００４】
しかしながら、上述した遊技機のようなゲームだけでは物足りない遊技者も少なからず存在している。
【手続補正３】
【補正対象書類名】明細書
【補正対象項目名】０００６
【補正方法】変更
【補正の内容】
【０００６】
上記課題を解決するために本発明の遊技機は、複数の当選役に関しての抽選が実行されると図柄が付された可動体を回転させ、当該抽選の結果に基づいて決定された当選役に関する図柄組合せを表示する遊技機であって、前記複数の当選役のうち何れの当選役を決定する当選役決定手段と、前記可動体の回転を停止させるための停止操作手段と、前記図柄組合せに基づいて特典を付与し得る特典付与手段と、前記特典とは異なる特典に対しての抽選を実行し得る特典抽選手段と、を備え、前記当選役決定手段で決定された当選役に基づいて、該当選役が決定されている中で前記特典抽選手段による抽選を複数の抽選にて実行し得る抽選機会増大手段と、前記特典抽選手段による抽選を複数の抽選にて実行するとき、前記当選役決定手段によって決定するために抽出した乱数値は不変とし、さらには所定の操作を契機とすることなく該複数の抽選に関する処理が一連の流れとして実行されるものであり、前記一連の流れとして実行される前記複数の抽選に関する処理は、前記当選役決定手段によって前記当選役が決定されたあとであって、前記可動体を回転させる前の待機区間において行われ得る無期待区間抑制手段と、をさらに備え、前記複数の当選役には、改めて遊技媒体を投入することなくゲームを実行できる再遊技役が含まれており、通常遊技状態、および該通常遊技状態よりも前記再遊技役が前記当選役決定手段によって決定されやすい状態であり且つ前記当選役決定手段によって特別な当選役が決定された場合に前記停止操作手段に対しての操作態様を指示する再高指有遊技状態が少なくとも含まれた遊技状態があり、前記異なる特典は、前記通常遊技状態から前記再高指有遊技状態へと移行させ得る特典、または前記再高指有遊技状態を延長させ得る特典であることを特徴とする遊技機。
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
吸水性を有する支持体と、
創傷面に対向する前記支持体の表面上に間隔を置いて配置された、該創傷面に対して非固着性のシリコーンと、
前記シリコーンに担持された創傷治癒促進剤と、
を備える、創傷被覆材。
【請求項２】
前記シリコーンは、
前記表面上に網目状に配置されている、
請求項１に記載の創傷被覆材。
【請求項３】
前記シリコーンは、
前記表面の面積の７０〜９０％に配置されている、
請求項１または２に記載の創傷被覆材。
【請求項４】
前記支持体は、
前記シリコーンが配置されていない前記表面において創傷治癒促進剤を支持する、
請求項１から３のいずれか一項に記載の創傷被覆材。
【請求項５】
前記創傷治癒促進剤は、
卵殻膜タンパクである、
請求項１から４のいずれか一項に記載の創傷被覆材。
【請求項６】
前記支持体は、
脱脂綿である、
請求項１から５のいずれか一項に記載の創傷被覆材。
【請求項７】
前記脱脂綿の表面には、
毛羽押さえ加工が施されている、
請求項６に記載の創傷被覆材。
【請求項８】
支持体の表面を、間隔を置いてマスク材で被覆する被覆工程と、
前記支持体の表面を、シリコーン溶液に暴露する第１の暴露工程と、
前記マスク材を前記支持体の表面から除去する除去工程と、
前記支持体の表面に形成された、創傷面に対して非固着性のシリコーン層の表面を、創傷治癒促進剤に暴露する第２の暴露工程と、
を含む、創傷被覆材の製造方法。
【手続補正２】
【補正対象書類名】明細書
【補正対象項目名】０００８
【補正方法】変更
【補正の内容】
【０００８】
本発明の第１の観点に係る創傷被覆材は、
吸水性を有する支持体と、
創傷面に対向する前記支持体の表面上に間隔を置いて配置された、該創傷面に対して非固着性のシリコーンと、
前記シリコーンに担持された創傷治癒促進剤と、
を備える。
【手続補正３】
【補正対象書類名】明細書
【補正対象項目名】０００９
【補正方法】変更
【補正の内容】
【０００９】
この場合、前記シリコーンは、
前記表面上に網目状に配置されている、
こととしてもよい。
【手続補正４】
【補正対象書類名】明細書
【補正対象項目名】００１０
【補正方法】変更
【補正の内容】
【００１０】
また、前記シリコーンは、
前記表面の面積の７０〜９０％に配置されている、
こととしてもよい。
【手続補正５】
【補正対象書類名】明細書
【補正対象項目名】００１１
【補正方法】変更
【補正の内容】
【００１１】
また、前記支持体は、
前記シリコーンが配置されていない前記表面において創傷治癒促進剤を支持する、
こととしてもよい。
【手続補正６】
【補正対象書類名】明細書
【補正対象項目名】００１２
【補正方法】削除
【補正の内容】
【手続補正７】
【補正対象書類名】明細書
【補正対象項目名】００１６
【補正方法】変更
【補正の内容】
【００１６】
本発明の第２の観点に係る創傷被覆材の製造方法は、
支持体の表面を、間隔を置いてマスク材で被覆する被覆工程と、
前記支持体の表面を、シリコーン溶液に暴露する第１の暴露工程と、
前記マスク材を前記支持体の表面から除去する除去工程と、
前記支持体の表面に形成された、創傷面に対して非固着性のシリコーン層の表面を、創傷治癒促進剤に暴露する第２の暴露工程と、
を含む。
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
少なくとも１つのリスク遺伝的バリアントの存在または非存在、ならびに／あるいは、少なくとも１つのリスク血清学的マーカーの存在または非存在を、炎症性腸疾患（ＩＢＤ）を有する個体における低骨密度（ＬＢＤ）に対する易罹患性の指標とする方法であって、
（ａ）該個体から得た試料をアッセイして、少なくとも１つのリスク遺伝的バリアントの存在または非存在を決定すること；ならびに／あるいは
（ｂ）該試料をアッセイして、少なくとも１つのリスク血清学的マーカーの存在または非存在を決定すること；
を含み、該少なくとも１つのリスク遺伝的バリアントの存在、または該少なくとも１つのリスク血清学的マーカーの存在、あるいは該少なくとも１つのリスク遺伝的バリアントの存在と該少なくとも１つのリスク血清学的マーカーの存在が、該個体におけるＬＢＤに対する易罹患性を示す、方法。
【請求項２】
前記ＬＢＤが、骨粗鬆症および／または骨減少症と関連している、請求項１に記載の方法。
【請求項３】
前記少なくとも１つのリスク遺伝的バリアントが、ＨＬＡ、ラミニン、プレキシン、ＮＬＲファミリーの遺伝子座、またはそれらの組合せに存在する、請求項１に記載の方法。
【請求項４】
前記少なくとも１つのリスク遺伝的バリアントが、配列番号１４および／または配列番号１５である、請求項１に記載の方法。
【請求項５】
前記少なくとも１つのリスク血清学的マーカーが、抗Ｃｂｉｒ１、ＡＳＣＡおよび抗Ｉ２からなる群より選択される、請求項１に記載の方法。
【請求項６】
前記ＩＢＤが肛門周囲疾患と関連している、請求項１に記載の方法。
【請求項７】
少なくとも１つのリスク遺伝的バリアントの存在または非存在、ならびに／あるいは、少なくとも１つのリスク血清学的マーカーの存在または非存在を、炎症性腸疾患（ＩＢＤ）を有する個体における低骨密度（ＬＢＤ）の処置の必要性の指標とする方法であって、
（ａ）該個体から得た試料をアッセイして、少なくとも１つのリスク遺伝的バリアントの存在または非存在を決定すること；ならびに／あるいは
（ｂ）該試料をアッセイして、少なくとも１つのリスク血清学的マーカーの存在または非存在を決定すること；
を含み、該少なくとも１つのリスク遺伝的バリアントの存在、または該少なくとも１つのリスク血清学的マーカーの存在、あるいは該少なくとも１つのリスク遺伝的バリアントの存在と該少なくとも１つのリスク血清学的マーカーの存在が、該個体におけるＬＢＤが処置されるべきであることを示す、方法。
【請求項８】
前記少なくとも１つのリスク遺伝的バリアントが、配列番号１４および／または配列番号１５である、請求項７に記載の方法。
【請求項９】
前記少なくとも１つのリスク血清学的マーカーが、抗Ｃｂｉｒ１、ＡＳＣＡおよび抗Ｉ２からなる群より選択される、請求項７に記載の方法。
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
筐体と、
前記筐体内に防振支持される外槽と、
前記外槽内に、回転中心軸が水平にしてまたは開口部側が高くなるように傾斜して回転自在に支持される回転ドラムと、
前記回転ドラムを回転駆動させるモータと、
高濃度洗剤液を生成する高濃度洗剤液生成手段と、
ファン羽根車および駆動用のファンモータを有する送風ユニットと、
前記送風ユニットで発生した風を前記回転ドラム内に吹き出す吹出口と、
前記吹出口の上流側に前記高濃度洗剤液を供給する高濃度洗剤液供給手段と、
前記吹出口の上流側に水道水を供給する水道水供給手段と、
を備えることを特徴とする洗濯乾燥機。
【請求項２】
前記水道水供給手段の供給口は、前記高濃度洗剤液供給手段の供給口の前記風の流れの上流側に位置していることを特徴とする請求項１に記載の洗濯乾燥機。
【請求項３】
前記高濃度洗剤液供給手段の供給口と前記水道水供給手段の供給口は、共通のノズルを有することを特徴とする請求項１に記載の洗濯乾燥機。
【請求項４】
前記水道水供給手段の供給口および前記高濃度洗剤液供給手段の供給口は、前記筐体の側に固定されていることを特徴とする請求項２または請求項３に記載の洗濯乾燥機。
【請求項５】
前記回転ドラム、前記モータ、前記ファンモータ、前記高濃度洗剤液生成手段、前記高濃度洗剤液供給手段および前記水道水供給手段を制御する制御装置を備え、
前記制御装置は、前記モータを制御して前記回転ドラムを前記回転中心軸廻りに回転させるとともに、前記高濃度洗剤液を前記吹出口の上流側に供給し、前記送風ユニットで発生した風により前記回転ドラム内に収容された洗濯物に前記高濃度洗剤液供給手段から前記高濃度洗剤液を吹き付け、その後に前記水道水供給手段から水道水を供給することを特徴とする請求項１から請求項４のいずれか１項に洗濯乾燥機。
【手続補正２】
【補正対象書類名】明細書
【補正対象項目名】０００６
【補正方法】変更
【補正の内容】
【０００６】
本発明は、筐体と、前記筐体内に防振支持される外槽と、前記外槽内に、回転中心軸が水平にしてまたは開口部側が高くなるように傾斜して回転自在に支持される回転ドラムと、前記回転ドラムを回転駆動させるモータと、高濃度洗剤液を生成する高濃度洗剤液生成手段と、ファン羽根車および駆動用のファンモータを有する送風ユニットと、前記送風ユニットで発生した風を前記回転ドラム内に吹き出す吹出口と、前記吹出口の上流側に前記高濃度洗剤液を供給する高濃度洗剤液供給手段と、前記吹出口の上流側に水道水を供給する水道水供給手段と、を備えることを特徴とする。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
最上層円形たわみ板、少なくとも一つの中間層円形たわみ板及び最下層円形たわみ板が円形台座を介して積み重ねられ、各たわみ板間に配置される複数の前記円形台座は、中心部に円形貫通孔を有して同心状に配置され、
前記最上層円形たわみ板の押し込み方向のたわみにより、前記最上層円形たわみ板の中心部裏面に設けられる導電領域と、それに対向する前記中間層円形たわみ板の中心部表面に設けられる導電領域が接触すると導通し、
前記中間層円形たわみ板の押し込み方向のたわみにより、前記中間層円形たわみ板の中心部裏面に設けられる導電領域と、それに対向する前記最下層円形たわみ板の中心部表面に設けられる導電領域が接触すると導通し、
前記最上層円形たわみ板と前記最下層円形たわみ板は、前記円形台座よりも大きい径を有し、前記最上層円形たわみ板と前記最下層円形たわみ板は、前記円形台座から両側にはみ出た領域において、互いに圧着され、その圧着部分と前記円形台座の外周領域との間にリング状の空間が形成されることを特徴とする円盤型フレキシブルスイッチ。
【請求項２】
２段に重ねられた上側円形台座及び下側円形台座を挟んで上部円形たわみ板が底部円形たわみ板の上に同心に重ねられて配置され、前記２つの円形台座は、中心部に円形貫通孔を有して同心状に配置され、前記上側円形台座の円形貫通孔の径は、前記下側円形台座の円形貫通孔の径より大きく形成され、
前記上部円形たわみ板の押し込み方向への第一のたわみにより、前記上部円形たわみ板の中心部裏面に設けられる導電領域と、それに対向する前記下側円形台座のリング状上面に設けられる導電領域が接触すると導通し、
前記上部円形たわみ板の前記第一のたわみより大きい第二のたわみにより、前記上部円形たわみ板の中心部裏面に設けられる導電領域と、それに対向する前記底部円形たわみ板の中心部表面に設けられる導電領域が接触すると導通し、
前記上部円形たわみ板と前記底部円形たわみ板は、前記２つの円形台座よりも大きい径を有し、前記上部円形たわみ板と前記底部円形たわみ板は、前記２つの円形台座から両側にはみ出た領域において、互いに圧着され、その圧着部分と前記２つの円形台座の外周領域との間にリング状の空間が形成されることを特徴とする円盤型フレキシブルスイッチ。
【請求項３】
中心部に円形貫通孔を有する円形台座を介して上部円形たわみ板が底部円形たわみ板の上に同心に重ねられて配置され、
前記上部円形たわみ板の押し込み方向のたわみにより、前記上部円形たわみ板の中心部裏面に設けられる導電領域と、それに対向する前記底部円形たわみ板の中心部表面に設けられる導電領域が接触すると導通し、
前記上部円形たわみ板と前記底部円形たわみ板は、前記円形台座よりも大きい径を有し、前記上部円形たわみ板と前記底部円形たわみ板は、前記円形台座から両側にはみ出た領域において、互いに接着され、その接着部分と前記円形台座の外周領域との間にリング状の空間が形成されることを特徴とする円盤型フレキシブルスイッチ。
【請求項４】
請求項１において、
複数の前記円形台座の円形貫通孔の径は、押し込み方向に向かって小さくなるように形成されることを特徴とする円盤型フレキシブルスイッチ。
【請求項５】
請求項１において、
複数の前記円形台座における少なくとも２つの円形貫通孔の径は異なるように形成されることを特徴とする円盤型フレキシブルスイッチ。
【請求項６】
請求項１において、
複数の前記円形台座における少なくとも２つの高さは異なるように形成されることを特徴とする円盤型フレキシブルスイッチ。
【請求項７】
請求項１において、
前記最上層円形たわみ板には、前記円形台座の円形貫通孔の中心と同心に、圧力センサが内蔵されることを特徴とする円盤型フレキシブルスイッチ。
【請求項８】
請求項１において、
前記最上層円形たわみ板及び前記中間層円形たわみ板には、前記円形台座の円形貫通孔の中心と同心に、圧力センサが内蔵されることを特徴とする円盤型フレキシブルスイッチ。
【請求項９】
請求項３において、
前記上部円形たわみ板には、前記円形台座の円形貫通孔の中心と同心に、圧力センサが内蔵されることを特徴とする円盤型フレキシブルスイッチ。
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
文書の画像を取得する取得手段と、
前記画像に含まれる表領域において矩形の認識セルを特定する特定手段と、
前記認識セルを構成する四辺の周囲の領域それぞれから直線を検出する検出手段と、
前記画像において、前記検出手段で検出された四本の直線に囲まれた領域の内部の色情報を削除する削除手段と
を有することを特徴とする情報処理装置。
【請求項２】
前記認識セルを構成する四辺の周囲の領域とは、各辺を基準として各辺の直行方向に広がった領域であることを特徴とする請求項１に記載の情報処理装置。
【請求項３】
前記検出手段は、前記認識セルに対応するセルの罫線のエッジに基づいて前記直線を検出することを特徴とする請求項１又は２に記載の情報処理装置。
【請求項４】
前記検出手段は、
前記四辺の周囲の領域からエッジ画素の検出を行うエッジ検出手段と、
前記エッジ検出手段で検出された各エッジ画素を通る線の重複回数に基づいて、前記直線を検出する罫線検出手段とを有する
ことを特徴とする請求項３に記載の情報処理装置。
【請求項５】
前記罫線検出手段は、
一つの辺の周囲の領域から複数本の線が検出された場合に、前記認識セルの中心位置を基準として当該複数本の線のうちの最も内側の線を、前記直線として検出することを特徴とする請求項４に記載の情報処理装置。
【請求項６】
前記特定手段は、前記画像に含まれる表領域から検出した白画素塊の外接矩形に基づいて前記認識セルを特定することを特徴とする請求項１乃至５の何れか１項に記載の情報処理装置。
【請求項７】
前記認識セルは、前記画像に含まれる表領域において、ユーザの操作に基づいて特定された位置に設定されることを特徴とする請求項１乃至５の何れか１項に記載の情報処理装置。
【請求項８】
前記削除手段は、前記検出手段で検出された四本の直線に囲まれた領域の内部の画素の色情報を、規定の色情報に置換することにより、前記検出手段で検出された四本の直線に囲まれた領域の内部の色情報を削除する、ことを特徴とする請求項１乃至７の何れか１項に記載の情報処理装置。
【請求項９】
前記取得手段で取得される画像は、スキャナで前記文書をスキャンすることにより生成されるスキャン画像である、ことを特徴とする請求項１乃至８の何れか１項に記載の情報処理装置。
【請求項１０】
画像を取得する取得工程と、
前記画像に含まれる表領域において矩形の認識セルを特定する特定工程と、
前記認識セルを構成する四辺の周囲の領域それぞれから直線を検出する検出工程と、
前記画像において、前記検出工程で検出された四本の直線に囲まれた領域の内部の色情報を削除する削除工程と
を有することを特徴とする情報処理方法。
【請求項１１】
請求項１乃至９の何れか１項に記載の情報処理装置の各手段として、コンピュータを機能させるためのコンピュータで読み取り可能なプログラム。
【手続補正２】
【補正対象書類名】明細書
【補正対象項目名】００３４
【補正方法】変更
【補正の内容】
【００３４】
（５）認識セル内の文字領域の特定
制御部２０３は、各認識セルの内部に、その各認識セルに内接する白画素塊によって囲まれた黒画素塊があるか判定する。そして、黒画素塊があると判定した場合、全ての黒画素塊に外接矩形を設定する。
【手続補正３】
【補正対象書類名】明細書
【補正対象項目名】００３５
【補正方法】変更
【補正の内容】
【００３５】
さらに、制御部２０３は、一つの認識セルの中に複数の外接矩形を設定した場合、当該設定した外接矩形同士の距離が閾値３（例えば２０画素・・・０．５ｃｍ）以内であるか判定する。具体的には、制御部２０３は、外接矩形を一つ一つ選択し、選択された外接矩形からの距離が閾値３以内である外接矩形を検出する。
【手続補正４】
【補正対象書類名】明細書
【補正対象項目名】００３６
【補正方法】変更
【補正の内容】
【００３６】
さらに、制御部２０３は、距離が閾値３以内である外接矩形を検出した場合、当該検出した外接矩形と、当該選択された外接矩形とを統合する。即ち、制御部２０３は、両方の外接矩形に外接する新たな外接矩形を設定し、その代わり、当該選択された外接矩形と、当該検出された外接矩形を削除する。
【手続補正５】
【補正対象書類名】明細書
【補正対象項目名】００４５
【補正方法】変更
【補正の内容】
【００４５】
（７）認識セル枠表示
制御部２０３は、各認識セルの四辺（即ち、白画素塊の外接矩形の四辺）に太線枠を付けてスキャン画像を表示部２０４に表示する。表示された画面は図５となっている。なお、枠の形態は、太線でなくても実線でなくても良く、黒でなくても良いのは言うまでも無いが、これ以降は、太線であるものとして説明を続ける。また、この（７）で太線枠と共に表示されるスキャン画像は、（１）−（６）の処理が行われる前のスキャン画像であり、即ち、２値化前のスキャン画像である。
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
文書のチェックの結果を通知する情報処理システムであって、
文書の認識領域と当該認識領域の認識条件とを記憶する記憶手段と、
複数の文書の画像データを取得する取得手段と、
前記記憶手段により記憶されている認識領域及び認識条件と、前記取得手段により取得した画像データとに基づき、文書の内容をチェックするチェック手段と、
前記チェック手段によるチェックの結果に基づき、優先的に確認させる文書のチェックの結果を通知する通知手段と
を備えることを特徴とする情報処理システム。
【請求項２】
前記通知手段は、
前記チェック手段によるチェックの結果に基づき、優先的に確認させる文書のチェックの結果を通知するよう、前記取得手段により取得した画像データに含まれる画像の順番を並び替えて通知すること
を特徴とする請求項１に記載の情報処理システム。
【請求項３】
前記記憶手段は、複数枚から成る一組の文書について、当該複数枚の組み合わせを記憶し、
前記取得手段は、前記一組の文書を読み取ることによって得られた画像データを取得し、
前記チェック手段は、前記記憶手段により記憶されている組み合わせと、前記取得手段により取得した画像データとに基づき、一枚以上欠落している文書の有無をチェックし、
前記通知手段は、前記チェック手段によるチェックの結果のうち、前記一枚以上欠落している文書が有ることを優先して通知すること
を特徴とする請求項１または２に記載の情報処理システム。
【請求項４】
前記チェック手段によるチェックで前記内容に不備があった場合、前記記憶手段に記憶された定義情報に含まれる認識領域に従って、不備がある内容をユーザが識別可能に表示する不備領域表示手段を更に備えること
を特徴とする請求項１乃至３のいずれか１項に記載の情報処理システム。
【請求項５】
前記通知手段は、前記チェック手段によるチェックで前記内容の不備の数が多い文書から順にユーザに通知すること
を特徴とする請求項１乃至４のいずれか１項に記載の情報処理システム。
【請求項６】
前記取得手段により取得した画像データから、前記文書の申込者を特定する申込者特定手段と、
前記申込者特定手段により特定された申込者を記憶する申込者記憶手段と
を更に備え、
前記通知手段は、前記申込者記憶手段に記憶されている件数の多い申込者が記入した文書から順にユーザに通知すること
を特徴とする請求項１乃至５のいずれか１項に記載の情報処理システム。
【請求項７】
文書のチェックの結果を通知する情報処理装置であって、
複数の文書の画像データを取得する取得手段と、
文書の認識領域と当該認識領域の認識条件と、前記取得手段により取得した画像データとに基づき得られる、文書のチェックの結果を取得するチェック取得手段と、
前記チェック取得手段により取得したチェックの結果に基づき、優先的に確認させる文書のチェックの結果を通知する通知手段と
を備えることを特徴とする情報処理装置。
【請求項８】
文書の認識領域と当該認識領域の認識条件とを記憶する記憶手段を備え、文書のチェックの結果を通知する情報処理システムにおける処理方法であって、
前記情報処理システムが、
複数の文書の画像データを取得する取得ステップと、
前記記憶手段により記憶されている認識領域及び認識条件と、前記取得ステップにより取得した画像データとに基づき、文書の内容をチェックするチェックステップと、
前記チェックステップによるチェックの結果に基づき、優先的に確認させる文書のチェックの結果を通知する通知ステップと
を実行することを特徴とする処理方法。
【請求項９】
文書のチェックの結果を通知する情報処理装置における処理方法であって、
前記情報処理装置が、
複数の文書の画像データを取得する取得ステップと、
文書の認識領域と当該認識領域の認識条件と、前記取得ステップにより取得した画像データとに基づき得られる、文書のチェックの結果を取得するチェック取得ステップと、
前記チェック取得ステップにより取得したチェックの結果に基づき、優先的に確認させる文書のチェックの結果を通知する通知ステップと
を実行することを特徴とする処理方法。
【請求項１０】
文書のチェックの結果を通知する情報処理システムで実行可能なプログラムであって、
前記情報処理システムを、
文書の認識領域と当該認識領域の認識条件とを記憶する記憶手段と、
複数の文書の画像データを取得する取得手段と、
前記記憶手段により記憶されている認識領域及び認識条件と、前記取得手段により取得した画像データとに基づき、文書の内容をチェックするチェック手段と、
前記チェック手段によるチェックの結果に基づき、優先的に確認させる文書のチェックの結果を通知する通知手段と
して機能させるためのプログラム。
【請求項１１】
文書のチェックの結果を通知する情報処理装置で実行可能なプログラムであって、
前記情報処理装置を、
複数の文書の画像データを取得する取得手段と、
文書の認識領域と当該認識領域の認識条件と、前記取得手段により取得した画像データとに基づき得られる、文書のチェックの結果を取得するチェック取得手段と、
前記チェック取得手段により取得したチェックの結果に基づき、優先的に確認させる文書のチェックの結果を通知する通知手段と
して機能させるためのプログラム。
【手続補正２】
【補正対象書類名】明細書
【補正対象項目名】００１１
【補正方法】変更
【補正の内容】
【００１１】
そこで、本発明の目的は、文書のチェックの結果を好適に通知する仕組みを提供することである。
【手続補正３】
【補正対象書類名】明細書
【補正対象項目名】００１２
【補正方法】変更
【補正の内容】
【００１２】
本発明は、文書のチェックの結果を通知する情報処理システムであって、文書の認識領域と当該認識領域の認識条件とを記憶する記憶手段と、複数の文書の画像データを取得する取得手段と、前記記憶手段により記憶されている認識領域及び認識条件と、前記取得手段により取得した画像データとに基づき、文書の内容をチェックするチェック手段と、前記チェック手段によるチェックの結果に基づき、優先的に確認させる文書のチェックの結果を通知する通知手段とを備えることを特徴とする情報処理システム。
【手続補正４】
【補正対象書類名】明細書
【補正対象項目名】００１３
【補正方法】変更
【補正の内容】
【００１３】
本発明によれば、文書のチェックの結果を好適に通知する仕組みを提供することができる。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
車に搭載される撮像装置において、
前記車の周囲を走行している車を撮像する撮像部と、
前記撮像部で撮像された画像から前記車の周囲を走行している車との間隔に関する情報を解析する解析部と、
前記間隔に関する情報が変化すると前記撮像部の撮像条件を変更する撮像制御部と
を有する撮像装置。
【請求項２】
請求項１に記載の撮像装置において、
前記車の周囲を走行している車は、前記車に先行する車である撮像装置。
【請求項３】
請求項１または２に記載の撮像装置において、
前記撮像制御部は、前記間隔に関する情報が変化すると前記撮像部の撮像速度を変更する撮像装置。
【請求項４】
請求項１から３のいずれか一項に記載の撮像装置において、
前記撮像制御部は、前記間隔に関する情報が変化すると前記撮像部の画素の間引き率を変更する撮像装置。
【請求項５】
車に搭載される撮像装置において、
前記車と前記車の周囲を走行している車との間隔に関する情報を入力する入力部と、
前記車の周囲を走行している車を撮像する撮像部と、
前記間隔に関する情報が変化すると前記撮像部の撮像条件を変更する撮像制御部と
を有する撮像装置。
【請求項６】
請求項５に記載の撮像装置において、
前記車の周囲を走行している車は、前記車に先行する車である撮像装置。
【請求項７】
請求項５または６に記載の撮像装置において、
前記撮像制御部は、前記間隔に関する情報が変化すると前記撮像部の撮像速度を変更する撮像装置。
【請求項８】
請求項５から７のいずれか一項に記載の撮像装置において、
前記撮像制御部は、前記間隔に関する情報が変化すると前記撮像部の画素の間引き率を変更する撮像装置。
【請求項９】
車に搭載される撮像装置において、
前記車と前記車の周囲を走行している車との間隔に関する情報を入力する入力部と、
撮像条件の異なる複数の撮像領域を有する撮像部と、
前記間隔に関する情報が変化すると前記撮像部の撮像条件を変更する撮像制御部と
を有する撮像装置。
【請求項１０】
請求項９に記載の撮像装置において、
前記撮像制御部は、前記間隔に関する情報が変化すると前記撮像部の第一の撮像領域の撮像条件を変更する撮像装置。
【請求項１１】
請求項１０に記載の撮像装置において、
前記車と前記車の周囲を走行している車との間隔が狭くなったら、前記撮像制御部は第一の撮像領域の撮像速度を増加させる撮像装置。
【請求項１２】
請求項１０または１１に記載の撮像装置において、
前記車と前記車の周囲を走行している車との間隔が狭くなったら、前記撮像制御部は第一の撮像領域の画素の間引き率を減少させる撮像装置。
【請求項１３】
請求項１０から１２のいずれか一項に記載の撮像装置において、
前記車の周囲を走行している車は、前記車に先行する車である撮像装置。
【請求項１４】
請求項１０から１３のいずれか一項に記載の撮像装置において、
前記撮像制御部は、前記第一の撮像領域と異なる第二の撮像領域の撮像条件を前記第一の撮像領域と異ならせる撮像装置。
【請求項１５】
請求項９に記載の撮像装置において、
前記車の周囲を走行している車は、前記車に先行する車である撮像装置。
【手続補正２】
【補正対象書類名】明細書
【補正対象項目名】０００４
【補正方法】変更
【補正の内容】
【０００４】
（１）第1の態様による撮像装置は、車に搭載される撮像装置において、前記車の周囲を走行している車を撮像する撮像部と、前記撮像部で撮像された画像から前記車の周囲を走行している車との間隔に関する情報を解析する解析部と、前記間隔に関する情報が変化すると前記撮像部の撮像条件を変更する撮像制御部とを有する。
（２）第２の態様による撮像装置は、車に搭載される撮像装置において、前記車と前記車の周囲を走行している車との間隔に関する情報を入力する入力部と、前記車の周囲を走行している車を撮像する撮像部と、前記間隔に関する情報が変化すると前記撮像部の撮像条件を変更する撮像制御部とを有する。
（３）第３の態様による撮像装置は、車に搭載される撮像装置において、前記車と前記車の周囲を走行している車との間隔に関する情報を入力する入力部と、撮像条件の異なる複数の撮像領域を有する撮像部と、前記間隔に関する情報が変化すると前記撮像部の撮像条件を変更する撮像制御部とを有する。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
車に搭載される撮像装置において、
前記車の外部を撮像する撮像部と、
前記車の進行方向に基づいて前記撮像部の撮像条件を制御する撮像制御部と
を有する撮像装置。
【請求項２】
請求項１に記載の撮像装置において、
前記撮像制御部は、前記車の進行方向に基づいて前記撮像部の撮像速度を変更する撮像装置。
【請求項３】
請求項１または２に記載の撮像装置において、
前記撮像制御部は、前記車の進行方向に基づいて前記撮像部の画素の間引き率を変更する撮像装置。
【請求項４】
車に搭載される撮像装置において、
撮像条件の異なる複数の撮像領域を有する撮像部と、
前記車の進行方向に基づいて前記撮像部の撮像条件を制御する撮像制御部と
を有する撮像装置。
【請求項５】
請求項４に記載の撮像装置において、
前記撮像制御部は、前記車の進行方向に基づいて前記撮像部の第一の撮像領域の撮像条件を変更する撮像装置。
【請求項６】
請求項５に記載の撮像装置において、
前記撮像制御部は、前記車の進行方向に基づいて前記撮像部の第一の撮像領域の撮像速度を変更する撮像装置。
【請求項７】
請求項５または６に記載の撮像装置において、
前記撮像制御部は、前記車の進行方向に基づいて前記撮像部の第一の撮像領域の画素の間引き率を変更する撮像装置。
【請求項８】
請求項５から７のいずれか一項に記載の撮像装置において、
前記撮像制御部は、前記第一の撮像領域と異なる第二の撮像領域の撮像条件を前記第一の撮像領域と異ならせる撮像装置。
【請求項９】
車に搭載される撮像装置において、
前記車の外部を撮像する撮像部と、
前記車のステアリングホイールの位置に基づいて前記撮像部の撮像条件を制御する撮像制御部と
を有する撮像装置。
【請求項１０】
請求項９に記載の撮像装置において、
前記撮像制御部は、前記車のステアリングホイールの位置に基づいて前記撮像部の撮像速度を変更する撮像装置。
【請求項１１】
請求項９または１０に記載の撮像装置において、
前記撮像制御部は、前記車のステアリングホイールの位置に基づいて前記撮像部の画素の間引き率を変更する撮像装置。
【請求項１２】
車に搭載される撮像装置において、
撮像条件の異なる複数の撮像領域を有する撮像部と、
前記車のステアリングホイールの位置に基づいて前記撮像部の撮像条件を制御する撮像制御部と
を有する撮像装置。
【請求項１３】
請求項１２に記載の撮像装置において、
前記撮像制御部は、前記車のステアリングホイールの位置に基づいて前記撮像部の第一の撮像領域の撮像条件を変更する撮像装置。
【請求項１４】
請求項１３に記載の撮像装置において、
前記撮像制御部は、前記車のステアリングホイールの位置に基づいて前記撮像部の第一の撮像領域の撮像速度を変更する撮像装置。
【請求項１５】
請求項１３または１４に記載の撮像装置において、
前記撮像制御部は、前記車のステアリングホイールの位置に基づいて前記撮像部の第一の撮像領域の画素の間引き率を変更する撮像装置。
【請求項１６】
請求項１３から１５のいずれか一項に記載の撮像装置において、
前記撮像制御部は、前記第一の撮像領域と異なる第二の撮像領域の撮像条件を前記第一の撮像領域と異ならせる撮像装置。
【手続補正２】
【補正対象書類名】明細書
【補正対象項目名】０００４
【補正方法】変更
【補正の内容】
【０００４】
（１）第1の態様による撮像装置は、車に搭載される撮像装置において、前記車の外部を撮像する撮像部と、前記車の進行方向に基づいて前記撮像部の撮像条件を制御する撮像制御部とを有する。
（２）第２の態様による撮像装置は、車に搭載される撮像装置において、撮像条件の異なる複数の撮像領域を有する撮像部と、前記車の進行方向に基づいて前記撮像部の撮像条件を制御する撮像制御部とを有する。
（３）第３の態様による撮像装置は、車に搭載される撮像装置において、前記車の外部を撮像する撮像部と、前記車のステアリングホイールの位置に基づいて前記撮像部の撮像条件を制御する撮像制御部とを有する。
（４）第４の態様による撮像装置は、車に搭載される撮像装置において、撮像条件の異なる複数の撮像領域を有する撮像部と、前記車のステアリングホイールの位置に基づいて前記撮像部の撮像条件を制御する撮像制御部とを有する。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
VCAM-1蛋白質を発現している線維芽細胞からなる、心臓細胞培養材料。
【請求項２】
心臓組織を構築するための培養に使用されるものである、請求項１に記載の心臓細胞培養材料。
【請求項３】
前記線維芽細胞が、心臓由来のものである、請求項２に記載の心臓細胞培養材料。
【請求項４】
前記線維芽細胞が、心外膜由来のものである、請求項２または３に記載の心臓細胞培養材料。
【請求項５】
請求項１〜４のいずれか１項に記載の心臓細胞培養材料と共に、心臓細胞を培養するステップを含む、人工臓器材料の製造方法。
【請求項６】
VCAM-1蛋白質発現線維芽細胞の、心臓細胞培養材料としての使用。
【請求項７】
抗VCAM-1抗体を含む、心臓細胞培養材料スクリーニング用試薬。
【請求項８】
線維芽細胞群を準備するステップ、及び
準備した線維芽細胞群からVCAM-1蛋白質発現線維芽細胞をソーティングするステップ、を含む、心臓細胞培養材料の製造方法。
【請求項９】
線維芽細胞群を準備するステップ、及び
準備した線維芽細胞群からVCAM-1蛋白質発現線維芽細胞をソーティングするステップ、を含む、心筋組織の製造方法。
【請求項１０】
線維芽細胞群を準備するステップ、及び
準備した線維芽細胞群からVCAM-1蛋白質発現線維芽細胞をソーティングするステップ、を含む、組成物の製造方法。
【請求項１１】
全線維芽細胞中、VCAM-1蛋白質発現線維芽細胞の割合が４０％以上である、組成物。
【請求項１２】
全線維芽細胞中、VCAM-1蛋白質発現線維芽細胞の割合が７０％以上である、請求項１１に記載の組成物。
【請求項１３】
心筋細胞の細胞増殖を促進するため、心筋細胞の遊走を促進するため、及び心筋組織を構築するため、からなる群から選択されるいずれかの目的で用いられる、請求項１１または１２に記載の組成物。
【請求項１４】
請求項１１〜１３のいずれか１項に記載の組成物と、心臓細胞との混合物。
【請求項１５】
請求項１４に記載の混合物の培養物である、心筋組織。
【請求項１６】
VCAM-1蛋白質またはこれをコードする遺伝子の、心筋細胞の細胞増殖を促進するため、心筋細胞の遊走を促進するため、及び心筋組織を構築するため、からなる群から選択されるいずれかを目的とする、使用。